(57)【要約】【課題】過負荷状況下でのデータ通信システム内の通信リソースの効率的な使用のための方法および装置【解決手段】データの通信のための通信システム（１４００）において、方法および装置は、データの通信のためにユーザ（１４０７）のための接続を開く要求を検出し、オープン接続を選択し、選択されたオープン接続を解放し、ユーザ（１４０７）に、選択されたオープン接続を解放することに基づいて解放されたリソースに対応する通信リソースを割当てる。一実施の形態に従って、選択されたオープン接続はアイドルオープン状態にある。【選択図】    図１３
2010022025.tif 000002
【特許請求の範囲】
【請求項１】
データの通信のための通信システムにおいて、下記を具備する方法：
ユーザのための接続を、データ通信のために開くための要求を検出する；
オープン接続を選択する；
前記選択したオープン接続を解放する；
前記選択されたオープン接続を前記解放することに基づいて解放されたリソースに対応する通信リソースを、前記ユーザに割当てる。
【請求項２】
前記選択されたオープン接続はアイドルオープン状態である、請求項１に記載の方法。
【請求項３】
前記選択されたオープン接続は、ビジーオープン状態にある、請求項１に記載の方法。
【請求項４】
下記をさらに具備する、請求項１に記載の方法：
オープン接続が前記通信システム内のアイドルオープン状態であるかどうか判断する；
前記選択されたオープン接続は、前記アイドルオープン状態にある前記決定されたオープン接続である。
【請求項５】
下記をさらに具備する、請求項１に記載の方法：
２以上のオープン接続がアイドルオープン状態にあるかどうか判断する；
前記アイドルオープン状態にある２以上のオープン接続から、最長のアイドルオープン状態接続時間を有したオープン接続を決定する；前記選択されたオープン接続は前記最長のアイドルオープン状態接続を有する前記決定されたオープン接続である。
【請求項６】
下記をさらに具備する、請求項１に記載の方法：
２以上のオープン接続がアイドルオープン状態にあるかどうか判断する；
前記アイドル状態にある前記２以上のオープン接続から、所定の期間に所定のデータ量を送信するために使用されるオープン接続を決定する；前記選択されたオープン接続は前記所定の期間に前記所定のデータ量を送信するために使用される前記決定されたオープン接続である。
【請求項７】
前記所定のデータ量は前記アイドルオープン状態にある２以上のオープン接続のユーザ群の一人のユーザにより送信される最長のデータ量である、請求項６に記載の方法。
【請求項８】
下記をさらに具備する、請求項１に記載の方法：
２以上のオープン接続がアイドルオープン状態にあるかどうか判断する；
前記アイドル状態にある前記２以上のオープン接続から、所定の期間に所定のデータレートでデータを送信するために使用されるオープン接続を決定する；前記選択されたオープン接続は、前記所定の期間に前記所定のデータレートで送信するために使用される前記決定されたオープン接続である。
【請求項９】
前記所定のデータレートは、前記アイドルオープン状態にある前記２以上のオープン接続のユーザ群の一人のユーザにより使用される最高のデータレートである、請求項８に記載の方法。
【請求項１０】
前記所定の期間は、前記アイドルオープン状態にある前記２以上のオープン接続のユーザ群の一人のユーザが前記アイドルオープン状態に移動する前の期間である、請求項８に記載の方法。
【請求項１１】
下記をさらに具備する、請求項１に記載の方法：
２以上のオープン接続がアイドルオープン状態にあるかどうか判断する、前記選択は、前記アイドルオープン状態にある前記２以上のオープン接続からのランダムな選択に基づく。
【請求項１２】
下記をさらに具備する、請求項１に記載の方法：
２以上のオープン接続がアイドルオープン状態にあるかどうか判断する；
最長の組み合わされたアイドルオープン状態接続時間およびビジーオープン状態接続時間を有する、前記アイドルオープン状態にある前記２以上のオープン接続から１つのオープン接続を決定する；前記選択されたオープン接続は、前記最長の組み合わされたアイドルオープン状態接続時間およびビジーオープン状態接続時間を有する前記決定されたオープン接続である。
【請求項１３】
オープン接続がビジーオープン状態にあり、アイドルオープン状態にあるオープン接続は無いかどうか判断することをさらに具備し、前記選択されたオープン接続は前記ビジーオープン状態にある前記オープン接続である、請求項１に記載の方法。
【請求項１４】
下記をさらに具備する、請求項１に記載の方法：
２以上のオープン接続がビジーオープン状態にあり、アイドルオープン状態にあるオープン接続は無いかどうか判断する；
最長のビジーオープン状態接続時間を有する前記２以上のオープン接続から一つのオープン接続を決定する；前記選択されたオープン接続は、前記最長のオープン状態接続時間を有する前記２以上のオープン接続からの前記決定された接続である。
【請求項１５】
下記をさらに具備する請求項１に記載の方法：
２以上のオープン接続がビジーオープン状態にあり、アイドルオープン状態にあるオープン接続は無いかどうか判断する；
所定の期間に所定のデータ量を送信するために使用される前記２以上のオープン接続から１つのオープン接続を決定する；前記選択されたオープン接続は、前記所定の期間に前記所定のデータ量を送信するために使用される前記決定されたオープン接続である。
【請求項１６】
前記所定のデータ量は、前記ビジーオープン状態にある前記２以上のオープン接続のユーザ群の一人のユーザにより送信される最大データ量である、請求項１５に記載の方法。
【請求項１７】
前記所定の期間は、前記ビジーオープン状態にある前記２以上のオープン接続のユーザ群の一人のユーザが前記ビジーオープン状態に移動した後の期間である、請求項１５に記載の方法。
【請求項１８】
前記所定の期間は、前記所定の期間に前記所定のデータ量を送信するために使用される前記２以上のオープン接続から前記オープン接続を前記決定する直前の期間である、請求項１５に記載の方法。
【請求項１９】
下記をさらに具備する、請求項１に記載の方法：
２以上のオープン接続がビジーオープン状態にあり、アイドルオープン状態にあるオープン接続は無いかどうか判断する；
所定の期間に所定のデータレートでデータを送信するために使用される前記ビジーオープン状態にある前記２以上のオープン接続から１つのオープン接続を決定する；前記選択されたオープン接続は、前記所定の期間に前記所定のデータレートでデータを転送するために使用される前記決定されたオープン接続である。
【請求項２０】
前記所定のデータレートは、前記ビジーオープン状態にある前記２以上のオープン接続のユーザ群の一人のユーザにより使用される最高のデータレートである、請求項１９に記載の方法。
【請求項２１】
前記所定の期間は、前記所定期間に、前記所定のデータレートでデータを送信するために使用される前記ビジーオープン状態における前記２以上のオープン接続から前記オープン接続の前記決定の直前の期間である、請求項１９に記載の方法。
【請求項２２】
下記をさらに具備する、請求項１に記載の方法：
２以上のオープン接続がビジーオープン状態にあり、アイドルオープン状態にあるオープン接続が無いかどうか判断する；
最長の組み合わされたアイドルオープン状態接続時間およびビジーオープン状態接続時間を有した前記２以上のオープン接続から一つのオープン接続を決定する；前記選択されたオープン接続は、前記最長の組み合わされたアイドルオープン状態接続時間およびビジーオープン状態接続時間を有する前記決定された接続である。
【請求項２３】
さらに下記を具備する、請求項１に記載の方法：
前記通信システム内のビジーオープン状態にある少なくとも１つのオープン接続と、アイドルオープン状態にある少なくとも１つのオープン接続を決定する；前記選択されたオープン接続は前記少なくとも１つのオープン接続の１つである。
【請求項２４】
前記少なくとも１つのオープン接続は前記ビジーオープン状態にある２以上のオープン接続と前記アイドルオープン状態にある２以上のオープン接続を含み、
最長のオープン状態接続時間を有する前記２以上のオープン接続から１つのオープン接続を決定することをさらに含み、前記選択されたオープン接続は前記最長アイドルオープン状態接続時間を有する前記決定されたオープン接続である、請求項２３に記載の方法。
【請求項２５】
前記少なくとも１つのオープン接続は、前記ビジーオープン状態にある２以上のオープン接続と、前記アイドルオープン状態にある２以上のオープン接続を含み、
最長のビジーオープン状態接続時間を有する前記２以上のオープン接続から１つのオープン接続を決定することをさらに含み、前記選択されたオープン接続は前記最長のビジーオープン状態接続時間を有する前記決定されたオープン接続である、請求項２３に記載の方法。
【請求項２６】
前記少なくとも１つのオープン接続は、前記ビジーオープン状態にある２以上のオープン接続と、前記アイドルオープン状態にある２以上のオープン接続を含み、
所定の期間に所定のデータ量を送信するために使用される前記２以上のオープン接続から１つのオープン接続を決定することをさらに含み、前記選択されたオープン接続は、前記所定の期間に前記所定量のデータを送信するために使用される前記決定されたオープン接続である、請求項２３に記載の方法。
【請求項２７】
前記所定量のデータは、前記ビジーオープン状態と前記アイドルオープン状態にある前記２以上のオープン接続のユーザ群の一人のユーザにより送信された最大データ量である、請求項２６に記載の方法。
【請求項２８】
前記期間は、前記所定の期間に前記所定のデータ量を送信するために使用される前記２以上のオープン接続から前記オープン接続を前記決定する直前の期間である、請求項２６に記載の方法。
【請求項２９】
前記少なくとも１つのオープン接続は、前記ビジーオープン状態にある２以上のオープン接続と前記アイドルオープン状態にある２以上のオープン接続を含み、
所定の期間に所定のデータレートでデータを送信するために使用される前記２以上のオープン接続から１つのオープン接続を決定することをさらに含み、前記選択されたオープン接続は、前記所定の期間に前記所定のデータレートでデータを送信するために使用される前記２以上のオープン接続からの前記決定されたオープン接続である、請求項２３に記載の方法。
【請求項３０】
前記所定のデータレートは前記２以上のオープン接続のユーザ群の一人のユーザにより使用される最高のデータレートである、請求項２９に記載の方法。
【請求項３１】
前記所定の期間は、前記所定の期間に前記所定のデータレートでデータを送信するために使用される前記２以上のオープン接続から前記オープン接続を前記決定する直前の期間である、請求項２９に記載の方法。
【請求項３２】
前記少なくとも１つのオープン接続は、前記ビジーオープン状態にある２以上のオープン接続と前記アイドルオープン状態にある２以上のオープン接続を含み、
最長の組み合わされたアイドルオープン接続時間とビジーオープン状態接続時間を有した前記２以上のオープン接続から１つのオープン接続を決定することをさらに含み、前記選択されたオープン接続は、前記最長の組み合わされたアイドルオープン状態接続時間とビジーオープン状態接続時間を有した前記決定された接続である、請求項２３に記載の方法。
【請求項３３】
前記通信システムにおける負荷状況を検出する工程をさらに具備する、請求項１に記載の方法。
【請求項３４】
前記検出は、所定数の既存の接続を検出することを含み、前記負荷状況は既存の接続数に基づく、請求項３３に記載の方法。
【請求項３５】
前記検出は、逆方向リンクの利用と活動を監視することを含み、前記負荷状況は、前記利用と活動のレベルに基づく、請求項３３に記載の方法。
【請求項３６】
データの通信のための通信システムにおいて、下記を具備する方法：
前記通信システムの負荷状況を検出する；
オープン接続を選択する；
前記負荷状況に基づいて前記選択したオープン接続を解放する。
【請求項３７】
さらに下記を具備する請求項３６に記載の方法：
ユーザのための接続をデータの通信のために開くための要求を検出する；
前記ユーザに対して、前記選択されたオープン接続を前記解放することに基づいて解放されたリソースに対応する通信リソースを割当てる。
【請求項３８】
所定数の既存の接続を検出することをさらに具備し、前記負荷状況は既存の接続の前記数に基づく、請求項３６に記載の方法。
【請求項３９】
前記選択されたオープン接続は、アイドルオープン状態である、請求項３６に記載の方法。
【請求項４０】
前記選択されたオープン接続は、ビジーオープン状態である、請求項３６に記載の方法。
【請求項４１】
通信システムにおいて、下記を具備する装置：
前記通信システム内の複数のリソースを管理するリソースマネージャ；
前記リソースマネージャと通信し、接続に通信リソースを割当てるための要求をする複数の接続コントローラ；
前記リソースマネージャは、前記複数のリソースの１つを選択し、データの通信のためにユーザの接続を開く要求を検出し、および前記ユーザに、前記選択されたオープン接続の前記解放に基づいて解放されたリソースに対応する通信リソースを割当てるために前記選択されたオープン接続を解放するように構成される。
【請求項４２】
前記選択されたオープン接続は、アイドルオープン状態である、請求項４１に記載の装置。
【請求項４３】
前記選択されたオープン接続は、ビジーオープン状態である、請求項４１に記載の装置。
【請求項４４】
データの通信のための通信システムにおいて、下記を具備する方法：
データの通信のために、ユーザのための接続を開く要求を検出する；
オープン接続が前記通信システム内のアイドルオープン状態にあるかどうかを判断する；
前記アイドルオープン状態接続を選択する；
前記選択されたアイドルオープン状態接続を解放する；
前記ユーザに、前記開放に基づいて解放されたリソースに対応する通信リソースを割当てる。
【請求項４５】
データの通信のための通信システムにおいて、下記を具備する方法：
データの通信のために、ユーザのための接続を開く要求を検出する；
前記オープン接続に割当てられたサービス程度に基づいてオープン接続を選択する；
前記選択したオープン接続を解放する；
前記ユーザに、前記選択したオープン接続を前記解放したことに基づいて解放されたリソースに対応する通信リソースを割当てる。
【請求項４６】
前記選択されたオープン接続は、アイドルオープン状態にある、請求項４５に記載の方法。
【請求項４７】
前記選択されたオープン接続は、ビジーオープン状態にある、請求項４５に記載の方法。
【請求項４８】
さらに下記を具備する、請求項４５に記載の方法：
オープン接続が前記通信システム内のアイドルオープン状態にあるかどうか判断する；前記選択されたオープン接続は前記アイドルオープン状態にある前記決定されたオープン接続である。
【請求項４９】
さらに下記を具備する、請求項４５に記載の方法：
２以上のオープン接続がアイドルオープン状態にあるかどうか判断する；
前記アイドルオープン状態にある前記２以上のオープン接続から、最長のアイドルオープン状態接続時間を有するオープン接続を決定する；前記選択されたオープン接続は、前記最長のアイドルオープン状態接続を有する前記決定されたオープン接続である。
【請求項５０】
さらに下記を具備する請求項４５に記載の方法：
２以上のオープン接続がアイドルオープン状態にあるかどうか判断する；
前記アイドルオープン状態にある前記２以上のオープン接続から、所定の期間に所定量のデータを送信するために使用されるオープン接続を決定する、前記選択されたオープン接続は、前記所定期間に前記所定量のデータを送信するために使用される前記決定されたオープン接続である。
【発明の詳細な説明】
【技術分野】
【０００１】
開示した実施の形態はデータ通信の分野に関する。特に、開示した実施の形態は、過負荷状況下でのデータ通信システムにおいて通信リソースの効率的な使用のための方法および装置に関する。
【背景技術】
【０００２】
データの通信のための通信システムは多くの異なる要因によりその容量に到達しているかもしれない。通信システムは、アクセスネットワーク、パケット交換データネットワーク、および多数のアクセス端末を持つことが出来る。アクセス端末およびアクセスネットワークは多数の通信プロトコルに準拠しながら、データの通信のための接続を確率し維持する。アクセス端末とアクセスネットワークとの間の接続は、無線リンクを介して行なってもよい。データの流れは、アクセス端末からアクセスネットワークへ、またはアクセスネットワークからアクセス端末へまたはその両方の場合がある。アクセス端末は、ラップトップパーソナルコンピュータのような計算装置に接続することもできるし、あるいはパーソナルデジタルアシスタントのような内蔵型のデータ装置であってもよい。携帯電話のような子局もアクセス端末であってよい。アクセス端末とアクセスネットワークは、アクセスネットワークを起源とする順方向リンクおよびアクセス端末を起源とする逆方向リンクを介して通信することができる。
【０００３】
アクセスネットワークは、採用される技術のタイプに応じていくつかの要因によりその容量に到達するかもしれない。一般に、ユーザの数およびデータ通信に対するユーザの要望に応じて、アクセスネットワークはその容量に到達するかもしれない。データの流れに対するユーザの要望の強さはアプリケーションおよび通信されるデータのタイプに依存する。アプリケーションは、データファイルのダウンロード、インターネットのウエブブラウジング、オーディオ／ビデオストリーミング、商取引のようなトランザクション志向のアプリケーション、ゲームに興じる等を含むことができる。データのタイプは文献、画像、オーディオ／ビデオ等を含むことができる。過密状態または過負荷状態において、アクセスネットワークへのアクセスを試みようとしている新しいユーザは利用可能なリソースの欠如によりアクセスが否定されるかもしれない。そのような阻止スキームは音声ネットワークに対しては適当かもしれないが、データネットワークにおいては、ユーザは、全く接続されないよりも遅いデータの流れに従った接続を持つことを好むかもしれない。
【０００４】
一般にこの目的を達成するために並びにその他の目的を達成するために、過負荷条件下の通信システムにおいて、通信リソースの効率的な使用のための技術の必要性が存在し、この技術は通信リソースの使用が過密レベルに到達したとしてもユーザのネットワークへのアクセスを可能にする。
【発明の概要】
【０００５】
データの通信のための通信システムにおいて、方法と装置は、過負荷条件およびデータの通信のためにユーザに対してコネクションをオープンするための要求を検出し、オープンコネクションを選択し、選択されたオープンコネクションを解放し、ユーザに、選択されたオープンコネクションを解放することに基づいて解放されたリソースに対応する通信リソースを割当てる。
【図面の簡単な説明】
【０００６】
【図１】無線データ通信システムの種々のブロック図。
【図２】無線データ通信システムにおける順方向チャネル構造を示す概略図。
【図３】無線データ通信システムにおける逆方向チャネル構造を示す概略図。
【図４】無線データ通信システムにおいて、大気中インターフェースを介するための通信プロトコルスタックを示す概略図。
【図５】無線データ通信システムにおけるアクセスネットワークおよびアクセス端末におけるセッション構成プロトコルの動作状態を示す概略図。
【図６】大気中リンク管理プロトコルに従うアクセスネットワークおよびアクセス端末において動作状態を示す概略図。
【図７】アイドル状態プロトコルの種々の状態を示す概略図。
【図８】接続状態プロトコルの種々の状態を示す概略図。
【図９】解放状態において接続を維持するためのフローチャート。
【図１０】リソースの割当てのためにアクセスネットワークにおいて、リソースマネージャによる使用のためのフローチャート。
【図１１】過負荷条件下で効率的なリソース管理のためのリソースマネージャによる使用のためのフローチャート。
【図１２】利用可能な空きリソースが無いとき、ユーザに通信リソースを割当てるためのフローチャート。
【図１３】アクセスネットワークにおける接続を制御し管理するためのコントローラのブロック図。
【発明を実施するための形態】
【０００７】
この発明の特徴、目的および利点は、全体を通して同一部に同符号を付した図面とともに以下に述べる詳細な記載からより明白になるであろう。
【０００８】
過負荷条件下での通信リソースの効率的な使用のための新規で改良された方法および装置が記載される。ここに記載される１つ以上の例示実施の形態はデジタル無線通信システムとの関連で述べられる。この背景内での使用は都合がよいけれども、この発明の異なる実施の形態は異なる環境または異なる構成に組み込むことができる。一般に、ここに記載された種々のシステムは、ソフトウエア制御されたプロセッサ、集積回路またはディスクリートロジックを用いて形成することができる。アプリケーション全体を通して参照されるかもしれないデータ、命令、コマンド、情報、信号、記号、およびチップは、有利に、電圧、電流、電磁波、磁界、磁性粒子、光学界、光学粒子またはそれらの組合せにより表される。さらに、各ブロック図に示されるブロックはハードウエアまたは方法ステップを表すことができる。
【０００９】
図１は一実施の形態に従う通信システム１００を図解する。アクセス端末１０４Ａ−Ｃはデータの通信のためにアクセスネットワーク１０１との無線接続を確率し維持する。データ通信は、ホストデータネットワーク１０２上に設けた状態であってもよい。アクセス端末１０４Ａ−Ｃとアクセスネットワーク１０１との間の無線接続はそれぞれデータリンク１１１−１１３を介した状態であってもよい。各リンクは順方向リンクと逆方向リンクを含めても良い。アクセス端末１０４Ａ−Ｃとアクセスネットワーク１０１は、それぞれの端末からデータが送信されるかまたはそれぞれの端末においてデータが受信されるかに応じて、送信器ユニット、または受信器ユニットまたは同時に両方として動作してもよい。一実施の形態において、通信システム１００におけるデータ通信は参照することによりここに組み込まれる符号分割多重アクセス２０００高データレートパケットインターフェース仕様に従うようにしてもよい。この仕様のコピーは、ワールドワイドウエブのwww.3gpp2.orgをアクセスすることにより得ることができる。
【００１０】
図２は順方向リンク上のデータ通信のために使用してもよい一実施の形態に従う順方向チャネル構造２００を図解する。順方向リンク通信は、アクセスネットワーク１０１から始まる。順方向チャネル構造２００は、パイロットチャネル２０１、媒体アクセス制御（ＭＡＣ）チャネル２０２、トラヒックチャネル２０３およびコントロールチャネル２０４を含んでも良い。ＭＡＣチャネル２０２は逆方向活動チャネル２０６および逆方向電力制御チャネル２０７を含んでも良い。逆方向活動チャネル２０６は逆方向リンク上の活動レベルを示すために使用される。逆方向電力制御チャネル２０７はアクセス端末１０４が逆方向リンク上で送信することができる電力を制御するために使用される。
【００１１】
図３は、一実施の形態に従って、逆方向リンク上のデータ通信のために使用してよい逆方向チャネル構造３００を図解する。逆方向リンク通信はアクセス端末１０４から始まる。逆方向チャネル構造３００はアクセスチャネル３５０およびトラヒックチャネル３０１を含む。アクセスチャネル３５０はパイロットチャネル３５１およびデータチャネル３５３を含む。トラヒックチャネル３０１はパイロットチャネル３０４、ＭＡＣチャネル３０３、アクノレジメント（ＡＣＫ）チャネル３４０、およびデータチャネル３０２を含む。ＭＡＣチャネル３０３は逆方向リンクデータレートインジケータチャネル３０６およびデータレート制御チャネル３０５を含む。ＡＣＫチャネル３４０は一単位のデータがアクセス端末１０４において、成功裏に復号されたかどうかを通信するために使用される。逆方向レートインジケータチャネル３０６はアクセス端末１０４が現在送信しているレートを示すために使用される。データレート制御チャネル３０５は順方向リンク２００を介してアクセス端末が受信することができる、および／または受信を所望するデータレートを示す。
【００１２】
図４は、一実施の形態に従って、アクセス端末１０４とアクセスネットワーク１０１との間の大気中インターフェースを介した通信プロトコルスタックを図解する。順方向チャネル２００と逆方向チャネル３００の動作は通信プロトコルスタック４００に従ってもよい。通信プロトコルスタック４００は、物理層４０１、ＭＡＣチャネル層４０２、セキュリティ層４０３、接続層４０４、セッション層４０５、ストリーム層４０６、およびアプリケーション層４０７を含んでも良い。物理層４０１は、順方向チャネル２００および逆方向チャネル３００のためのチャネル構造要件、周波数要件、電力出力要件、変調要件、および符号化要件を供給する。ＭＡＣチャネル層４０２は物理層４０１を介して受信および送信するために使用されるプロシージャを定義する。セキュリティ層４０３は立証サービスおよび暗号化サービスを供給する。接続層４０４は、大気中リンクデータ接続確立サービスおよびメインテナンスサービスを提供する。セッション層４０５はプロトコルネゴシエーション、コンフィグレーション、およびセッションステートメインテナンス機能性を提供する。ストリーム層４０６は異なったアプリケーションの多重化を提供する。アプリケーション層４０７はアクセスネットワークとアクセス端末との間でシグナリングおよびユーザデータを運ぶためのデフォルトシグナリングおよびデフォルトパケットアプリケーションを提供する。
【００１３】
図５は、一実施の形態に従って、セッション層プロトコル４０５に従ってアクセスネットワーク１０１およびアクセス端末１０４における動作状態を図解する。データフローのための接続をセットアップすることができる前に、アクセス端末１０４とアクセスネットワーク１０１との間でセッションを確立する必要がある。セッション層プロトコル４０５はアクセス端末１０４とアクセスネットワーク１０１を制御し、アクセス端末１０４とアクセスネットワーク１０１がネゴシエートし、セッションを構成することを可能にする。セッション層プロトコル４０５は一実施の形態に従って、アクセス端末１０４とアクセスネットワーク１０１との間でセッションを開き、閉じ、管理するという制御観点を提供する。セッションが開かれると、アクセス端末１０４とアクセスネットワーク１０１は、制御情報およびユーザデータの交換のための接続を設定することができる。
【００１４】
セッション層プロトコル４０５の動作状態６０１はアクセスネットワーク１０１とセッションを開始し、確立し、閉じるためのアクセス端末に関する。セッションオペレーティングステート６０１は、インアクティブステート(inactive state)、アドレスマネージメントプロトコル（ＡＭＰ）セットアップステート６０３およびオープンステート６０４を含んでよい。セッション層プロトコル４０５のオペレーティングステート６５１はアクセス端末１０４とセッションを確立し、閉じるアクセスネットワーク１０１に関する。セッションオペレーティングステート６５１はＡＭＰセットアップステート６５２、オープンステート６５３およびクローズステート６５４を含む。
【００１５】
アクセス端末１０４は、一実施の形態に従って、インアクティブステート６０２において開始し、アクセスネットワーク１０１はＡＭＰセットアップステート６５２において開始する。インアクティブステート６０２において、アクセスネットワーク１０１とアクセス端末１０４は互いに通信しない。セッションを起動するために、アクセス端末１０４はＡＭＰセットアップステート６０３に入る。ＡＭＰセットアップステート６０３において、アクセス端末１０４とアクセスネットワーク１０１はＡＭＰに従っていくつかのメッセージを交換する。アクセスネットワーク１０１はユニキャスト(Unicast)アクセス端末識別子（ＵＡＴＩ）をアクセス端末１０１に割当てる。ネゴシエーションとコンフィグレーションの成功する完了は遷移をそれぞれアクセス端末１０４の動作状態６０４およびアクセスネットワーク１０１の動作状態６５３に生じさせる。セッションが閉じれば、アクセスネットワーク１０１とアクセス端末１０４はそれぞれクローズステート６５４およびインアクティブステート６０２に入る。クローズステート６５４において、アクセスネットワーク１０１はアクセス端末１０４からのセッションクローズメッセージを待つ。セッションクローズメッセージを受信するかまたはタイマーが満了すると、アクセスネットワーク１０１はＡＭＰセットアップステート６５２に遷移する。一実施の形態に従って、アクセスネットワーク１０１は、アクセス端末１０４Ａ−Ｃとのセッションを維持するために割当てられたいくつかのプロセッサまたは１つのプロセッサ内のいくつかのプロセスをもつようにしてもよい。
【００１６】
セッションを確立することは、データの通信のために接続を確立する前に要求される。接続の確立と維持は、接続層プロトコル４０４により制御される。アクセス端末１０４とアクセスネットワーク１０１はセッションを確立したかもしれないが、データの通信のための接続を持たないかもしれない。さらに、一実施の形態に従って、アクセス端末１０４とアクセスネットワーク１０１は１つのセッションの間に数回接続をオープンおよびクローズしてもよい。アクセス端末１０４がアクセスネットワーク１０１により提供される被覆領域を離れるとき、またはアクセス端末１０４が通信を入手できない長期の間セッションを閉じるようにしてもよい。アクセス端末１０４が利用できないことはアクセスネットワーク１０１により検出することができる。
【００１７】
接続層プロトコル４０４は、一実施の形態に従って、大気中リンク接続の状態を処理するいくつかのサブプロトコルから構成するようにしてもよい。そのようなサブプロトコルは大気中リンク管理（ＡＬＭ）プロトコル、初期化状態プロトコル、アイドル状態プロトコル、および接続状態プロトコルを含んでも良い。ＡＬＭプロトコルはアクセス端末１０４およびアクセスネットワーク１０１における全体の接続状態を維持する。ＡＬＭプロトコルはその現在の状態に応じて他のプロトコルを活性化する。初期化プロトコルは、アクセスネットワークを取得するプロセスにおいて、アクセス端末に関連する行動を実行する。アイドル状態プロトコルは、アクセスネットワークを取得したが、オープン接続を持たないアクセス端末に関連する行動を実行する。接続状態プロトコルはオープン接続を有するアクセス端末に関連するプロシージャを供給する。
【００１８】
図６は一実施の形態に従って、大気中リンク管理プロトコルのアクセスネットワーク１０１およびアクセス端末１０４における動作状態を図解する。大気中リンク管理プロトコルはその関連する動作状態を介して、アクセス端末１０４によるアクセスネットワーク１９１の初期取得を管理し、そして、アクセスネットワーク１０１とアクセス端末１０４との間の接続の確立、維持、および終了を管理する。アイドル状態プロトコルおよび接続状態プロトコルは、接続をオープンまたはクローズするためにアクセス端末１０４およびアクセスネットワーク１０１のための機構を供給する。図６は、一実施の形態に従って、アクセスネットワーク１０１に関連する大気中リンク管理プロトコル状態７００およびアクセス端末１０４に関連する大気中リンク管理プロトコル状態７５０を描写する。
【００１９】
アクセスネットワーク１０１のための大気中リンク管理プロトコル状態７００は、アイドル状態７０１および接続状態７０２を含んでも良い。大気中リンク管理プロトコル状態７００はまたアクセスネットワーク１０１のための（図示しない）初期化状態を含んでも良い。初期化状態の単一のインスタンスはすべてのアクセス端末に仕えるであろう。アクセス端末１０４のための大気中リンク管理プロトコル状態７５０は、初期化状態７５１、アイドル状態７５２、および接続状態７５３を含んでもよい。初期化状態７５１の期間、アクセス端末１０４は、アクセスネットワーク１０１のようなアクセスネットワークを取得する。アクセスネットワークを取得するために、アクセス端末１０４は最初にアクセスネットワーク１０１のようなアクセスネットワークを選択する。第２に、アクセス端末１０４は選択されたアクセスネットワークから送信されたパイロットチャネルを取得し、第３にアクセス端末１０４は選択されたアクセスネットワークと同期を取る。アクセスネットワーク１０１が取得されると、アクセス端末１０４はアイドル状態７５２に入り、そしてアクセスネットワーク１０１はアイドル状態７０１に入る。アクセスネットワーク１０１とアクセス端末１０４はアイドル状態７０１、７５２の期間、接続を持たない。接続は、アクセスネットワーク１０１によるアイドル状態において、またはアクセス端末１０４によるアイドル状態７５２において開くことができる。
【００２０】
アクセスネットワーク１０１とアクセス端末１０４との間の接続は、一実施の形態に従って、アクセスネットワーク１０１とアクセス端末１０４の両方により開きまたは閉じることができる。接続が開かれると、大気中リンク管理プロトコルは接続状態にある。接続はアクセスネットワーク１０１とアクセス端末１０４のいずれか１つにより閉じることができる。接続はまた、アクセスネットワーク１０１とアクセス端末１０４との間の通信の損失によっても閉じることができる。
【００２１】
図７は、一実施の形態に従って、アクセスネットワーク１０１に関連するアイドル状態７０１において、およびアクセス端末１０４に関連するアイドル状態７５２において、実行されるアイドル状態プロトコルの種々の状態を図解する。アクセスネットワーク１０１におけるアイドル状態７５２におけるプロトコルの状態は、インアクティブ状態８５１、モニタ状態８５２、スリープ状態８５３、および接続セットアップ状態８５４を含んでも良い。アクセス端末１０４におけるアイドル状態７０１におけるプロトコルの状態は、インアクティブ状態８０１、モニタ状態８０３、スリープ状態８０２、および接続セットアップ状態８５４を含んでも良い。アクセス端末１０４における電力を節約するために、アクセス端末１０４とアクセスネットワーク１０１はスリープ状態８０２、８５３を維持する。一実施の形態に従って、アクセスネットワーク１０１はスリープ期間の間メッセージをアクセス端末１０４に送信しない、そして、アクセス端末１０４はスリープ期間の間メッセージを受信することを期待しない。アクセスネットワーク１０１は一実施の形態に従って、ページメッセージを送信することにより接続セットアップを開始することができ、そして、アクセス端末１０４は接続要求メッセージに応答する。あるいは、アクセス端末１０４は、接続要求メッセージを送信することにより接続セットアップを開始することができる。接続セットアップは、それぞれアクセスネットワーク１０４の接続セットアップ状態８５４およびアクセス端末１０４の接続セットアップ状態８０４において生じる。接続が否定されないなら、アクセス端末１０４とアクセスネットワーク１０１は、接続をセットアップするためにさらなるメッセージを交換する。このメッセージは、トラヒック−チャネル−割当てメッセージ、ＡＣＫメッセージ、およびトラヒック−チャネル−完了メッセージを含んでも良い。接続の確立が成功すると、アクセス端末１０４は（図６に示す）接続された状態７５３となり、そして、アクセスネットワーク１０１は（図６に示す）接続された状態７０２となる。
【００２２】
図８は一実施の形態に従って、アクセスネットワーク１０１に関連する接続された状態７０２において、およびアクセス端末１０４に関連する接続された状態７５３において、実行される接続状態プロトコルの種々の状態を図解する。アクセス端末１０４のプロトコル７５３の状態はインアクティブ状態９５１およびオープン状態９５２を含んでいてよい。アクセスネットワーク１０１のプロトコル７０２の状態は、インアクティブ状態９０１、オープン状態９０２、およびクローズ状態９０３を含んでいてよい。接続セットアップが成功すると、アクセス端末１０４は、インアクティブ状態９５１からオープン状態９５２に移動する。同様に、接続セットアップが成功すると、アクセスネットワーク１０１は、インアクティブ状態９０１からオープン状態９０２に移動する。アクセス端末１０４とアクセスネットワーク１０１は、オープン状態９５２および９０２にあるとき、データを通信することができる。アクセス端末１０４は、アクセスネットワーク１０１にデータを通信するために逆方向トラヒックチャネル３０１を使用することができる。アクセスネットワーク１０１は、アクセス端末１０４とデータ通信するために順方向トラヒックチャネル２０３を使用することができる。アクセス端末１０４において、オープン状態を終了するために、アクセス端末１０４は、接続クローズメッセージをアクセスネットワーク１０１に送信することができる。アクセスネットワーク１０１は接続クローズメッセージを送信することにより、オープン状態を閉じることを開始することができる。アクセスネットワーク１０１は、接続クローズメッセージを送信した後、クローズ状態９０３に移動する。アクセス端末１０４は、アクセスネットワーク１０１から接続クローズメッセージを受信した後、接続クローズメッセージをアクセスネットワーク１０１に送信し、インアクティブ状態９５１に移動する。アクセスネットワーク１０１は、アクセス端末１０４から接続クローズメッセージを受信した後、クローズ状態９０３からインアクティブ状態９０１に移動する。
【００２３】
アクセス端末１０４とアクセスネットワーク１０１は、オープン状態９５２、９０２の期間、データを送受信するためにセットアップフェーズの期間に割当てられた通信リソースを使用することができる。一実施の形態に従って、接続は、オープン状態９０２、９５２の期間、ビジーオープン状態にあってもよいし、アイドルオープン状態にあってもよい。接続がビジーオープン状態にあるとき、データ交換は、アクセスネットワーク１０１とアクセス端末１０４との間で、順方向リンクを介してまたは逆方向リンクを介してまたは両方を介して生じる。交換すべきデータが無いとき、接続はアイドルオープン状態に遷移する。アクセスネットワーク１０１またはアクセス端末１０４からの送信に対してデータが利用可能になると、接続の状態がアイドルオープン状態からビジーオープン状態に遷移する。
【００２４】
図９は、一実施の形態に従って、アクセス端末１０４におけるオープン状態９５２およびアクセスネットワーク１０１におけるオープン状態９０２のようなオープン状態において、接続を維持するために使用可能なフローチャート１０００を図解する。フローチャート１０００はアクセスネットワーク１０１内の接続コントローラ（図示せず）を介して実施可能である。ステップ１００１において、アクセスネットワーク１０１とアクセス端末１０４はデータを送受信するためにビジーオープン状態において、オープン接続を有する。データパケットはより小さなデータ単位に分解してもよい。この場合、データ単位は無線リンク上で送信される。一実施の形態に従って、アクセスネットワーク１０１内のコントローラは、ステップ１００２において、オープン接続を介して送信されるべきまたは受信されるべき何らかのデータ単位または何らかのさらなるデータパケットがあるかどうか判断する。データ単位を送信または受信しないなら、ステップ１００３において、オープン接続の状態がビジーオープン状態からアイドルオープン状態に変化する。他方、送信すべきまたは受信すべきさらなるデータ単位またはデータパケットがあるなら、制御フロー１０００はステップ１００１に戻る。一実施の形態に従って、アイドルオープン状態におけるオープン接続は関連する無活動タイマーを持つことが出来る。タイマーが満了する前に、送信または受信のために何らかのデータが利用可能になるなら、制御フロー１０００はデータを送受信するためにステップ１００１に戻る。この時点において、活動タイマーを停止させることができる。タイマーがステップ１００４で満了するなら、オープン接続は、接続された状態プロトコルに従って閉じられ、そしてその接続に割当てられたリソースは、恐らく将来入力される接続要求に割当てるために解放される。
【００２５】
一実施の形態に従って、新しい接続を確立するために、アクセスネットワーク１０１におけるリソースマネージャはリソースの利用可能性を決定する。接続のセットアップがアクセス端末１０４またはアクセスネットワーク１０１により開始されると、接続要求はリソースの欠落により否定されるかもしれない。リソースの欠落は、多くの異なる理由の中で、オープン状態において多数の接続を持つことにより作られる可能性がある。オープン接続はアイドルオープン状態であり得る。接続がアイドルオープン状態にあるとき、割当てられたリソースは利用されていない。なぜなら、割当てられたリソースは、アクセス端末１０４とアクセスネットワーク１０１との間のデータのフローに対して使用されていないからである。
【００２６】
図１０は、一実施の形態に従って、アクセスネットワーク１０１において、リソースマネージャにより使用されるフローチャート１１００を図解する。ステップ１１０１において、リソースマネージャは通常動作モードにいることができる。通常、いくつかのオープン接続が同時に存在する。いくつかのオープン接続がビジーオープン状態にいることができ、他はアイドルオープン状態にいることができる。一実施の形態に従って、アイドル状態にあるオープン接続はそれぞれの無活動タイマーを実行している。新しい接続を開くための要求が到来すると、リソースマネージャはステップ１１０２において、割当てのためにいずれかのリソースが利用可能かどうかチェックする。利用可能なリソースが無いとき、リソースマネージャはステップ１１０３において、その接続要求を否定し、制御フローはステップ１１０１に戻る。他方、一実施の形態において、利用可能なリソースがあれば、リソースマネージャはステップ１１０４において接続を開くための要求を受け入れ、そして接続セットアップルーチンにおいて、リソースを新しい接続に割当てる。従って、制御フローはリソースマネージャがステップ１１０１に戻るために戻る。
【００２７】
図１１は、一実施の形態に従って、過負荷状況下で、効率的なリソース管理のためにリソースマネージャにより使用されるためのフローチャート１２００を図解する。フローチャート１２００は一実施の形態に従って、アクセスネットワーク１０１において実施可能である。ステップ１２０１において、リソースマネージャは通常動作状態にある。通常動作状態において、アクセスネットワーク１０１は、ビジーオープン状態およびアイドルオープン状態において、リソースをいくつかの接続に割当てた状態になっているかもしれない。新しい接続をセットアップするための要求が検出されると、リソースマネージャはステップ１２０２において、なんらかの利用可能なリソースをチェックする。利用可能なリソースが検出されるなら、リソースマネージャはステップ１２０７において、利用可能なリソースを新しい接続に割当てる。その次に、制御フロー１２００はステップ１２０１に移動する。ステップ１２０２において、利用可能なリソースが検出されないなら、制御フローはステップ１２０３に移動し、何らかの接続がアイドルオープン状態にあるかどうかチェックする。１つ以上のオープン接続がアイドルオープン状態にあってもよい。アイドルオープン状態にある各オープン接続は、関連する無活動タイマーを有するであろう。リソースマネージャはステップ１２０５において、アイドルオープン状態にある接続の少なくとも１つを解放することを決定することができる。ステップ１２０６において、アイドル状態にある選択されたオープン接続に割当てられたリソースは解放され、そしてステップ１２０７において、解放されたリソースは新しい接続に割当てられる。
【００２８】
一実施の形態に従って、アイドル状態にある２以上の接続がステップ１２０３において検出されると、リソースマネージャは、アイドル状態にある検出された接続のいづれかを解放するためにランダムな選択に基づいて決定してもよい。あるいは、一実施の形態に従って、コントローラは、選択のためのいくつかの基準を使用することができる。例えば、最も長いアイドル時間を有した接続または所定の期間より長いアイドル時間を有した接続のグループから選択された１つの接続が解放のために選択するようにしてもよい。さらに一実施の形態に従って、アイドル状態にある接続は、接続がビジーおよびアイドルオープン状態にあった結合された期間である期間に基づいて解放のために選択するようにしてもよい。一実施の形態に従って解放のためにアイドル状態にある接続するための選択の基準は、解放時間の前の所定時間に大量のデータを転送するために使用した接続を選択すること、または解放時間前の所定期間に少なくとも所定量のデータを転送するために使用した接続のグループから選択された接続を含むようにしてもよい。この所定の期間は接続がオープン状態にあった以来の期間であってよい。データ量は種々の実施の形態に従って、順方向リンク、または逆方向リンクまたは両方の集合を介して送信されたデータ量であってよい。
【００２９】
一実施の形態に従って、アイドルオープン状態にある接続が検出されず、すべての接続がビジーオープン状態にあるなら、リソースマネージャはステップ１２０４において、解放のためにビジーオープン状態にある接続の１つを選択する。一実施の形態に従って、ステップ１２０６において、選択された状態に割当てられたリソースが解放され、ステップ１２０７において、解放されたリソースは新しい接続に割当てられる。一実施の形態に従って、リソースマネージャは、ステップ１２０４において接続を解放するためのランダムな選択に基づいて、ビジー状態にあるすべての接続から選択するようにしてもよい。一実施の形態に従って、リソースマネージャはその選択のためにいくつかの基準を使用することができる。例えば、ビジーオープン状態にある最も長い時間を有した接続、または所定の期間より長いビジーオープン時間を有した接続のグループから選択された接続が解放のために選択されるようにしてもよい。さらに、一実施の形態に従って、ビジーオープン状態にある接続は、接続された状態プロトコルのオープン状態に接続があった期間に基づいて解放のために選択されるようにしてもよい。接続がオープン状態にあってよい期間は、一実施の形態に従って、接続がビジーオープン状態およびアイドルオープン状態にあった結合された期間に基づいて決定される。解放のためにビジーオープン状態にある接続を選択するための基準は、一実施の形態に従って、所定の期間に、最大量のデータ送信した接続を選択することを含んでよい。所定の期間は、一実施の形態に従って、解放時間の前のある期間であってよい。接続は、所定の時間に所定のデータ量以上に送信した接続のグループから選択するようにしてもよい。所定の期間は、接続がセットアップされてからの時間であってよい。データ量は、種々の実施の形態に従って、順方向リンク、または逆方向リンク、または両方の集合を介して送信されるデータであってよい。
【００３０】
あるいは、ステップ１２０３において、ビジーオープン状態またはアイドルオープン状態にある、何らかの接続は、一実施の形態に従って、ランダム選択に基づいて、またはここに記載した他の基準と同様の基準に基づいて解放のために選択されるようにしてもよい。
【００３１】
概説するならば、一実施の形態に従って、データの通信のための通信システムにおいて、方法と装置は、過負荷状況下で、通信リソースの効率的な割当てを提供する。図１２は、利用可能な空きのリソースが無いとき、ユーザに通信リソースを割当てるための、一実施の形態に従うフローチャートを描写する。ステップ１３０１において、ユーザがデータを通信するための接続を開く要求が検出される。ステップ１３０２において、オープン接続が選択される。ステップ１３０３において、選択されたオープン接続が解放される。ステップ１３０４において、選択されたオープン接続を解放することに基づいて解放されるリソースに対応する通信リソースがユーザに割当てられる。選択されたオープン接続は、一実施の形態に従ってアイドルオープン状態またはビジーオープン状態にあってもよい。それゆえ、選択されたオープン接続は、一実施の形態に従ってアイドルオープン状態にあり、そして、選択されたオープン接続は、他の実施の形態に従って、ビジーオープン状態にある。
【００３２】
１３０２において、オープン接続が通信システム内のアイドルオープン状態にあるかどうかを判断する必要があるかもしれない。すべての接続の中で、オープン接続がアイドルオープン状態にあると判断されるなら、解放のための選択されたオープン接続はアイドルオープン状態にある決定されたオープン接続である。２以上のオープン接続がアイドルオープン状態にあるなら、最長のアイドルオープン接続時間を有するオープン接続がアイドルオープン状態にある２以上のオープン接続から決定される。解放のための選択されたオープン接続は、一実施の形態に従って、最長のアイドルオープン状態接続を有する決定されたオープン接続である。
【００３３】
あるいはまたはさらに、一実施の形態に従って、オープン接続は、所定の期間に送信されるデータ量に基づいてアイドルオープン状態にある２以上のオープン接続から決定される。選択されたオープン接続は、所定の期間に最大量のデータを送信した接続であってよい。所定の時間は接続期間であってよい。データ量は、順方向リンクまたは逆方向リンク、または両方の集合を介して送信されたデータであってよい。
【００３４】
あるいは、またはさらに最長の結合されたアイドルオープン状態接続時間およびビジーオープン状態接続時間を有するオープン接続は、アイドルオープン状態にある２以上のオープン接続から決定される。選択されたオープン接続は、最長の結合されたアイドルオープン状態接続時間およびビジーオープン状態接続時間を有した決定されたオープン接続であってよい。
【００３５】
あるいはまたはさらに、オープン接続の選択は、一実施の形態に従って、アイドルオープン状態にある２以上のオープン接続からのランダムな選択に基づいていてよい。
【００３６】
ステップ１３０２において、オープン接続がビジーオープン状態にあり、オープン接続がアイドルオープン状態にないかを判断する必要があるかもしれない。選択されたオープン接続は一実施の形態に従って、ビジーオープン状態にあるオープン接続である。
【００３７】
あるいはまたはさらに、一実施の形態に従って、最長ビジーオープン状態接続時間を有するオープン接続は２以上のオープン接続から決定される。選択されたオープン接続は最長ビジーオープン状態接続時間を有した２以上のオープン接続から決定された接続であってよい。
【００３８】
あるいはまたはさらに、オープン接続は、所定の期間にわたって送信されたデータ量に
基づいて２以上のビジーオープン接続から決定される。選択されたオープン接続は、所定の期間に最大データ量を送信するために使用される決定されたオープン接続である。接続のための所定の期間は、接続がオープンであった期間であってよい。所定の期間は、前記所定の期間にそのデータ量を送信するために使用される２以上のオープン接続からそのオープン接続を決定する直前の期間であってよい。
【００３９】
あるいはまたはさらに、一実施の形態に従って、オープン接続は、最長の結合されたアイドルオープン状態接続時間およびビジーオープン状態接続時間を有した２以上のオープン接続から決定される。選択されたオープン接続は、最長の結合されたオープン状態接続時間およびビジーオープン状態接続時間を有した決定された接続である。
【００４０】
ステップ１３０２において、少なくともオープン接続がビジーオープン状態にあり、すくなくともオープン接続がアイドルオープン状態にあるかどうか判断する必要があるかもしれない。一実施の形態に従う選択されたオープン接続は決定されたオープン接続の１つであってよい。オープン接続のリストがビジーオープン状態にある２以上のオープン接続と、アイドルオープン状態にある２以上のオープン接続を含むなら、オープン接続は、最長のアイドルオープン状態接続時間を有する２以上のオープン接続から決定される。選択されたオープン接続は、最長のアイドルオープン接続時間を有する決定されたオープン接続である。
【００４１】
あるいはまたはさらに、一実施の形態に従って、オープン接続は、最長のビジーオープン状態接続時間を有する２以上のオープン接続から決定される。選択されたオープン接続は、最長のビジーオープン状態接続時間を有する決定されたオープン接続である。あるいはまたはさらに、オープン接続は、２以上のオープン接続から決定される。決定されたオープン接続は、所定の期間に所定のデータ量を送信するために使用される。選択されたオープン接続は、所定の期間に所定のデータ量を送信するために使用される決定されたオープン接続である。所定のデータ量は、ビジーオープン状態およびアイドルオープン状態にある２以上のオープン接続のユーザによって送信されるデータの最大量であってよい。期間は接続期間または、所定の期間に所定のデータ量を送信するために使用される２以上のオープン接続からオープン接続を決定する直前の期間であってよい。
【００４２】
さらにまたはあるいは、一実施の形態に従って、オープン接続は２以上のオープン接続から決定される。決定されたオープン接続は、所定の期間に所定のデータレートでデータを送信するために使用される。選択されたオープン接続は、所定の期間に所定のデータレートでデータを送信するために使用される２以上のオープン接続からの決定されたオープン接続である。所定のデータレートは、２以上のオープン接続のユーザにより使用される最高のデータレートである。所定の期間は、所定の期間に所定のデータレートでデータを送信するために使用される２以上のオープン接続からオープン接続を決定する直前の期間であってよい。
【００４３】
あるいはまたはさらに、一実施の形態に従って、オープン接続は、最長の結合されたアイドルオープン状態接続時間およびビジーオープン接続時間を有する２以上のオープン接続から決定される。選択されたオープン接続は、最長の結合されたオープン状態接続時間およびビジーオープン状態接続時間を有する決定された接続である。
【００４４】
図１３は、アクセスネットワーク１０１における接続を制御するための実施の形態に従うコントローラ１４００の一般的なブロック図である。コントローラ１４００は、接続マネージャ１４０１およびチャネルリソースマネージャ１４０２を含んでいてよい。接続マネージャ１４０１は、多数の独立した接続コントローラ１４０３Ａ−Ｎの割当て／割当て解除を制御する。接続コントローラ１４０３はアクセス端末１０４とアクセスネットワーク１０１との間の接続の種々の観点を制御する。制御観点は、アクセス端末１４０７Ａ−Ｎとデータネットワーク１４０４との間のデータパケットの流れを制御することを含む。他の制御観点は、移動度管理、ソフトハンドオフ、ハードハンドオフ、および無線リンクプロトコルを含んでいてよい。チャネルリソースマネージャ１４０２は、多数のチャネルリソース１４０５Ａ−Ｎを制御する。チャネルリソース１４０５は、データキューイング(queuing)機能、変調機能、復調機能および復号機能を含んでいてよい。順方向において、チャネルリソース１４０５はスケジューラー１４０６とインターフェースしてもよい。スケジューラー１４０６はどの接続をサービスするかを決定し、アクセス端末１４０７Ａ−Ｎ内の１つのアクセス端末に時分割ベースで送信されるリソース１４０５からのデータ単位をスケジュールする。オープン接続は、接続コントローラ１４０３からの１つの接続コントローラと、リソース１４０５からの１つのチャネルリソースが接続に割当てられる、アクセス端末１０４とデータネットワーク１４０４との間の接続として見ても良い。一実施の形態に従って、チャネルリソースマネージャ１４０２は、リソース１４０５内の各チャネルリソースの（破線で示された）割当て／割当て解除を制御し、接続マネージャは接続コントローラ１４０３内の各接続コントローラの（破線で示されるように）割当て／割当て解除を制御する。接続のための要求が受信されると、接続マネージャ１４０１は接続コントローラ１４０３を接続に割当てる。この時点において、割当てられた接続コントローラは接続の制御する観点を引き継ぐ。接続コントローラ１４０３はチャネルリソースを接続に割当てるためにチャネルリソースマネージャ１４０２と通信する。リソースが割当てられると、接続コントローラは、アクセス端末１４０５Ａ−Ｎからデータネットワーク１４０４に接続経路を構築するために選択されたリソースと直接通信する。各チャネルリソース１４０５Ａ−Ｎにより実行される機能は、順方向無線リンクを介してアクセス端末に送信するためにデータを変調し、逆方向リンクを介して受信されたデータを復調／復号することを含んでよい。留意すべきは、接続マネージャ１４０１の物理ロケーションおよびチャネルリソースマネージャ１４０２は実装に応じて変化してもよい。
【００４５】
すべてのチャネルリソースがオープン接続により使用され、接続のための要求が検出されるとき、チャネルリソースマネージャ１４０２は接続の１つおよび解放のために関連した割当てられたリソースを選択してもよく、そして、新しい接続のデータフローに関連する機能を実行するために解放されたリソースを割当てても良い。一実施の形態に従って、選択されたオープン接続はアイドルオープン状態またはビジーオープン状態にあってもよい。より多くの接続がオープン状態にあるなら、接続は、ここに記載した基準に基づいて選択するようにしてもよい。
【００４６】
接続が解放されると、接続に割当てられたチャネルリソース１４０５および接続制御リソース１４０３は解放される。
【００４７】
過負荷状態に到達したとき、すなわち割当てのための利用可能なチャネルリソースがこれ以上ないとき、または利用可能なチャネルリソースが制限されているとき、チャネルリソースマネージャ１４０２はいくつかの技術を採用することができる。一実施の形態に従って、方法は、システムインストレーション中に構成される、あらかじめ設定された数の、チャネルあたりの最大接続を確立することを含んでも良い。そのような数のあらかじめ設定された数の接続に到達すると、チャネルリソースマネージャ１４０２はチャネルが過負荷状態にあるまたは制限に到達したと見なすことができる。代わりの方法またはさらに、一実施の形態に従って、逆方向リンクの負荷を監視するようにしてもよい。負荷があるしきい値を越えると、チャネルは過負荷であると見なすことができる。一実施の形態において、これは逆方向リンクビジーデータビットを監視することにより達成することができる。ビジーデータビットが所定の時間窓に対して設定される時間の一部分がしきい値を越えると、チャネルは過負荷であると見なすことができる。しきい値はあらかじめ決定するようにしてもよい。過負荷状態またはチャネルリソースの制限された利用可能性は他の要因に基づいて決定するようにしてもよい。例えば、逆方向リンクパイロットチャネル、補足チャネル、データレート制御チャネル、または逆方向リンク電力制御サブチャネルのようなオーバーヘッド上の活動レベルは過負荷条件を決定することができる。さらに、またはあるいは、過負荷条件は電力制御チャネルの利用、または順方向リンク信号の電力レベル上のヘッドルーム(headroom)の欠落に基づいて決定することができる。
【００４８】
ここに記載したアルゴリズムに従って解放のための接続を決定するために、チャネルリソースマネージャ１４０２は、接続時間（接続が開いた期間）、順方向に送信されたデータバイトの量、逆方向に送信されたデータバイトの量、およびアイドルタイム（順方向または逆方向にデータが無いとき）のような達成度の尺度を推定するようにしてもよい。これらは、チャネルリソース１４０５において、収集することができ、周期的にチャネルリソースマネージャ１４０２に更新することができる。さらに、またはあるいは、解放のための接続はユーザに対するサービス程度に基づいて選択するようにしてもよい。低いサービス程度を有する候補は高いサービス程度を有する候補に有線して解放のために選択するようにしてもよい。
【００４９】
ここでは、アクセス端末（ＡＴ）と呼ばれるＨＤＲ加入者局は移動性または固定であってよく、１つ以上のＨＤＲ基地局と通信するようにしてもよい。アクセス端末は、データパケットを送受信する。アクセスネットワークは複数のアクセス端末の間でデータパケットを送信するようにしてもよい。アクセスネットワークは、企業イントラネットまたはインターネットのようなアクセスネットワーク以外のさらなるネットワークにさらに接続してもよく、各アクセス端末と外部ネットワークとの間でデータを送信するようにしてもよい。アクセス端末は、例えば光ファイバまたは同軸ケーブルを用いて無線チャネルまたは有線チャネルを介して通信する何らかのデータ装置であってよい。アクセス端末はさらに、ＰＣカード、コンパクトフラッシュ（登録商標）、外部モデムまたは内部モデム、無線電話または有線電話のような多数のタイプの装置のいずれかであってよい。
【００５０】
当業者は、情報および信号は、さまざまな異なる科学技術および技法を用いて表してもよいことを理解するであろう。例えば、上述した記述全体を通して参照されるかもしれないデータ、命令、コマンド、情報、信号、ビット、記号、およびチップは、電圧、電流、電磁波、磁界、磁性粒子、光学界、または光学粒子またはそれらの組合せにより表すことができる。当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施できることを理解するであろう。このハードウエアとソフトウエアの互換性を明瞭に説明するために、種々の実例となる部品、ブロック、モジュール、回路、およびステップが一般にそれらの機能性の観点から上に記載された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００５１】
ここに開示された実施の形態に関連して記載された種々の実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行することができる。汎用プロセッサは、マイクロプロセッサであってよいが、別の方法では、プロセッサは、いずれかの一般的なプロセッサ、コントローラ、マイクロコントローラ、またはステートマシンであってよい。プロセッサはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施することもできる。
【００５２】
ここに開示された実施の形態に関連して記載された方法またはアルゴリズムのステップ
は、ハードウエアにおいて、プロセッサにより実行されるソフトウエアモジュールにおいて、または両者の組合せにおいて直接具現化することができる。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能ディスク、ＣＤ−ＲＯＭ、または技術的に知られているその他のいずれかの形態の記憶媒体に存在することができる。例示記憶媒体は、プロセッサに接続される。そのようなプロセッサは記憶媒体から情報を読み出し、記憶媒体に情報を書き込むことができる。別の方法では、記憶媒体は、プロセッサに集積可能である。プロセッサと記憶媒体はＡＳＩＣに存在してもよい。ＡＳＩＣはユーザ端末に存在してもよい。別の方法では、プロセッサと記憶媒体はユーザ端末内のディスクリートコンポーネントとして存在してもよい。
【００５３】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【図１】
2010022025.tif 000003
【図２】
2010022025.tif 000004
【図３】
2010022025.tif 000005
【図４】
2010022025.tif 000006
【図５】
2010022025.tif 000007
【図６】
2010022025.tif 000008
【図７】
2010022025.tif 000009
【図８】
2010022025.tif 000010
【図９】
2010022025.tif 000011
【図１０】
2010022025.tif 000012
【図１１】
2010022025.tif 000013
【図１２】
2010022025.tif 000014
【図１３】
2010022025.tif 000015
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
データ通信システムにおいてリソースを割り当てるための方法において、
アクセス端末とデータの通信のためのデータネットワークとの間の新しい接続を開くための要求を検出することと、
前記既存のオープン接続と前記先在オープン接続のデータトラヒックアクティビティに割り当てられたサービスのグレイドに基づいて前記アクセス端末と前記データネットワークの間のアクセスネットワークにおいて、先在アイドルオープン接続を選択することと、
前記選択されたオープン接続をリリースすることと、
前記新しい接続に、前記リリースされた、選択されたオープン接続に相当する通信リソースを割り当てることと、
を備えた方法。
【請求項２】
データの通信のための通信システムにおいて、データ通信システムにおいてリソースを割り当てるための方法において、
データの通信のためにユーザーのために接続を開くための要求を検出することと、
前記オープン接続に割り当てられたサービスのグレイドに基づいて２つ以上のオープン接続を選択することと、
前記選択されたオープン接続の２つ以上がアイドルオープン状態であるかどうかを決定することと、
前記アイドルオープン状態にある前記２つ以上の選択されたオープン接続から、最も長いアイドルオープン状態接続時間を有するアイドルオープン接続を選択することと、
前記選択されたアイドルオープン接続をリリースすることと、
前記ユーザーに、前記選択されたオープン接続をリリースすることに基づいてリリースされたリソースに対応する通信リソースを割り当てることと、
を備えた方法。
【請求項３】
データの通信のための通信システムにおいて、データ通信システムにおいてリソースを割り当てるための方法において、
データの通信のためにユーザーのために接続を開くための要求を検出することと、
前記オープン接続に割り当てられたサービスのグレードに基づいて２つ以上のオープン接続を選択することと、
前記選択されたオープン接続の２つ以上がアイドルオープン状態にあるかどうかを決定することと、
前記アイドルオープン状態にある前記２つ以上の選択されたオープン接続から、所定の期間に所定のデータ量を転送するために使用されるアイドルオープン接続を選択することと、
前記選択されたアイドルオープン接続をリリースすることと、
前記ユーザーに、前記選択されたアイドルオープン接続をリリースすることに基づいてリリースされたリソースに対応する通信リソースを割り当てることと、
を備えた方法。
【請求項４】
データ通信システムにおいてリソースを割り当てるための方法において、
アクセス端末とデータの通信のためのデータネットワークとの間の新しい接続を開くための要求を検出することと、
検出された要求に応答して、前記アクセス端末と前記データネットワークとの間のアクセスネットワークが過負荷条件を有しているかどうかを決定することと、
前記アクセスネットワークが前記過負荷条件を有しているなら、前記アクセス端末と前記データネットワークとの間の前記アクセスネットワークにおいて、任意の先在のアイドルオープン接続があるかどうかを決定することであって、各アイドルオープン接続は割り当てられた通信リソースを有することと、
（ａ）オープン接続時間および（ｂ）先在のアイドルオープン接続の以前のデータトラヒックアクティビティの少なくとも１つに基づいて前記先在アイドルオープン接続の１つを選択することと、
前記選択された先在アイドルオープン接続をリリースすることと、
前記リリースされた、選択された先在アイドルオープン接続に対応する通信リソースを前記新しい接続に割り当てることと、
を備える、
ここにおいて、前記アクセスネットワークは、前記アクセス端末と無線で通信するように構成された符号分割多重アクセス（ＣＤＭＡ）ネットワークである、方法。
【手続補正２】
【補正対象書類名】明細書
【補正対象項目名】００５３
【補正方法】変更
【補正の内容】
【００５３】
好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。  
以下に、本願出願の当初の特許請求の範囲に記載された発明を付記する。
［１］データの通信のための通信システムにおいて、下記を具備する方法：
ユーザのための接続を、データ通信のために開くための要求を検出する；
オープン接続を選択する；
前記選択したオープン接続を解放する；
前記選択されたオープン接続を前記解放することに基づいて解放されたリソースに対応する通信リソースを、前記ユーザに割当てる。
［２］前記選択されたオープン接続はアイドルオープン状態である、上記［１］に記載の方法。
［３］前記選択されたオープン接続は、ビジーオープン状態にある、上記［１］に記載の方法。
［４］下記をさらに具備する、上記［１］に記載の方法：
オープン接続が前記通信システム内のアイドルオープン状態であるかどうか判断する；
前記選択されたオープン接続は、前記アイドルオープン状態にある前記決定されたオープン接続である。
［５］下記をさらに具備する、上記［１］に記載の方法：
２以上のオープン接続がアイドルオープン状態にあるかどうか判断する；
前記アイドルオープン状態にある２以上のオープン接続から、最長のアイドルオープン状態接続時間を有したオープン接続を決定する；前記選択されたオープン接続は前記最長のアイドルオープン状態接続を有する前記決定されたオープン接続である。
［６］下記をさらに具備する、上記［１］に記載の方法：
２以上のオープン接続がアイドルオープン状態にあるかどうか判断する；
前記アイドル状態にある前記２以上のオープン接続から、所定の期間に所定のデータ量を送信するために使用されるオープン接続を決定する；前記選択されたオープン接続は前記所定の期間に前記所定のデータ量を送信するために使用される前記決定されたオープン接続である。
［７］前記所定のデータ量は前記アイドルオープン状態にある２以上のオープン接続のユーザ群の一人のユーザにより送信される最長のデータ量である、上記［６］に記載の方法。
［８］下記をさらに具備する、上記［１］に記載の方法：
２以上のオープン接続がアイドルオープン状態にあるかどうか判断する；
前記アイドル状態にある前記２以上のオープン接続から、所定の期間に所定のデータレートでデータを送信するために使用されるオープン接続を決定する；前記選択されたオープン接続は、前記所定の期間に前記所定のデータレートで送信するために使用される前記決定されたオープン接続である。
［９］前記所定のデータレートは、前記アイドルオープン状態にある前記２以上のオープン接続のユーザ群の一人のユーザにより使用される最高のデータレートである、上記［８］に記載の方法。
［１０］前記所定の期間は、前記アイドルオープン状態にある前記２以上のオープン接続のユーザ群の一人のユーザが前記アイドルオープン状態に移動する前の期間である、上記［８］に記載の方法。
［１１］下記をさらに具備する、上記［１］に記載の方法：
２以上のオープン接続がアイドルオープン状態にあるかどうか判断する、前記選択は、前記アイドルオープン状態にある前記２以上のオープン接続からのランダムな選択に基づく。
［１２］
下記をさらに具備する、上記［１］に記載の方法：
２以上のオープン接続がアイドルオープン状態にあるかどうか判断する；
最長の組み合わされたアイドルオープン状態接続時間およびビジーオープン状態接続時間を有する、前記アイドルオープン状態にある前記２以上のオープン接続から１つのオープン接続を決定する；前記選択されたオープン接続は、前記最長の組み合わされたアイドルオープン状態接続時間およびビジーオープン状態接続時間を有する前記決定されたオープン接続である。
［１３］オープン接続がビジーオープン状態にあり、アイドルオープン状態にあるオープン接続は無いかどうか判断することをさらに具備し、前記選択されたオープン接続は前記ビジーオープン状態にある前記オープン接続である、上記［１］に記載の方法。
［１４］下記をさらに具備する、上記［１］に記載の方法：
２以上のオープン接続がビジーオープン状態にあり、アイドルオープン状態にあるオープン接続は無いかどうか判断する；
最長のビジーオープン状態接続時間を有する前記２以上のオープン接続から一つのオープン接続を決定する；前記選択されたオープン接続は、前記最長のオープン状態接続時間を有する前記２以上のオープン接続からの前記決定された接続である。
［１５］下記をさらに具備する上記［１］に記載の方法：
２以上のオープン接続がビジーオープン状態にあり、アイドルオープン状態にあるオープン接続は無いかどうか判断する；
所定の期間に所定のデータ量を送信するために使用される前記２以上のオープン接続から１つのオープン接続を決定する；前記選択されたオープン接続は、前記所定の期間に前記所定のデータ量を送信するために使用される前記決定されたオープン接続である。
［１６］前記所定のデータ量は、前記ビジーオープン状態にある前記２以上のオープン接続のユーザ群の一人のユーザにより送信される最大データ量である、上記［１５］に記載の方法。
［１７］前記所定の期間は、前記ビジーオープン状態にある前記２以上のオープン接続のユーザ群の一人のユーザが前記ビジーオープン状態に移動した後の期間である、上記［１５］に記載の方法。
［１８］前記所定の期間は、前記所定の期間に前記所定のデータ量を送信するために使用される前記２以上のオープン接続から前記オープン接続を前記決定する直前の期間である、上記［１５］に記載の方法。
［１９］下記をさらに具備する、上記［１］に記載の方法：
２以上のオープン接続がビジーオープン状態にあり、アイドルオープン状態にあるオープン接続は無いかどうか判断する；
所定の期間に所定のデータレートでデータを送信するために使用される前記ビジーオープン状態にある前記２以上のオープン接続から１つのオープン接続を決定する；前記選択されたオープン接続は、前記所定の期間に前記所定のデータレートでデータを転送するために使用される前記決定されたオープン接続である。
［２０］前記所定のデータレートは、前記ビジーオープン状態にある前記２以上のオープン接続のユーザ群の一人のユーザにより使用される最高のデータレートである、上記［１９］に記載の方法。
［２１］前記所定の期間は、前記所定期間に、前記所定のデータレートでデータを送信するために使用される前記ビジーオープン状態における前記２以上のオープン接続から前記オープン接続の前記決定の直前の期間である、上記［１９］に記載の方法。
［２２］下記をさらに具備する、上記［１］に記載の方法：
２以上のオープン接続がビジーオープン状態にあり、アイドルオープン状態にあるオープン接続が無いかどうか判断する；
最長の組み合わされたアイドルオープン状態接続時間およびビジーオープン状態接続時間を有した前記２以上のオープン接続から一つのオープン接続を決定する；前記選択されたオープン接続は、前記最長の組み合わされたアイドルオープン状態接続時間およびビジーオープン状態接続時間を有する前記決定された接続である。
［２３］さらに下記を具備する、上記［１］に記載の方法：
前記通信システム内のビジーオープン状態にある少なくとも１つのオープン接続と、アイドルオープン状態にある少なくとも１つのオープン接続を決定する；前記選択されたオープン接続は前記少なくとも１つのオープン接続の１つである。
［２４］前記少なくとも１つのオープン接続は前記ビジーオープン状態にある２以上のオープン接続と前記アイドルオープン状態にある２以上のオープン接続を含み、
最長のオープン状態接続時間を有する前記２以上のオープン接続から１つのオープン接続を決定することをさらに含み、前記選択されたオープン接続は前記最長アイドルオープン状態接続時間を有する前記決定されたオープン接続である、上記［２３］に記載の方法。
［２５］前記少なくとも１つのオープン接続は、前記ビジーオープン状態にある２以上のオープン接続と、前記アイドルオープン状態にある２以上のオープン接続を含み、
最長のビジーオープン状態接続時間を有する前記２以上のオープン接続から１つのオープン接続を決定することをさらに含み、前記選択されたオープン接続は前記最長のビジーオープン状態接続時間を有する前記決定されたオープン接続である、上記［２３］に記載の方法。
［２６］前記少なくとも１つのオープン接続は、前記ビジーオープン状態にある２以上のオープン接続と、前記アイドルオープン状態にある２以上のオープン接続を含み、
所定の期間に所定のデータ量を送信するために使用される前記２以上のオープン接続から１つのオープン接続を決定することをさらに含み、前記選択されたオープン接続は、前記所定の期間に前記所定量のデータを送信するために使用される前記決定されたオープン接続である、上記［２３］に記載の方法。
［２７］前記所定量のデータは、前記ビジーオープン状態と前記アイドルオープン状態にある前記２以上のオープン接続のユーザ群の一人のユーザにより送信された最大データ量である、上記［２６］に記載の方法。
［２８］前記期間は、前記所定の期間に前記所定のデータ量を送信するために使用される前記２以上のオープン接続から前記オープン接続を前記決定する直前の期間である、上記［２６］に記載の方法。
［２９］前記少なくとも１つのオープン接続は、前記ビジーオープン状態にある２以上のオープン接続と前記アイドルオープン状態にある２以上のオープン接続を含み、
所定の期間に所定のデータレートでデータを送信するために使用される前記２以上のオープン接続から１つのオープン接続を決定することをさらに含み、前記選択されたオープン接続は、前記所定の期間に前記所定のデータレートでデータを送信するために使用される前記２以上のオープン接続からの前記決定されたオープン接続である、上記［２３］に記載の方法。
［３０］前記所定のデータレートは前記２以上のオープン接続のユーザ群の一人のユーザにより使用される最高のデータレートである、上記［２９］に記載の方法。
［３１］前記所定の期間は、前記所定の期間に前記所定のデータレートでデータを送信するために使用される前記２以上のオープン接続から前記オープン接続を前記決定する直前の期間である、上記［２９］に記載の方法。
［３２］前記少なくとも１つのオープン接続は、前記ビジーオープン状態にある２以上のオープン接続と前記アイドルオープン状態にある２以上のオープン接続を含み、
最長の組み合わされたアイドルオープン接続時間とビジーオープン状態接続時間を有した前記２以上のオープン接続から１つのオープン接続を決定することをさらに含み、前記選択されたオープン接続は、前記最長の組み合わされたアイドルオープン状態接続時間とビジーオープン状態接続時間を有した前記決定された接続である、上記［２３］に記載の方法。
［３３］前記通信システムにおける負荷状況を検出する工程をさらに具備する、上記［１］に記載の方法。
［３４］前記検出は、所定数の既存の接続を検出することを含み、前記負荷状況は既存の接続数に基づく、上記［３３］に記載の方法。
［３５］前記検出は、逆方向リンクの利用と活動を監視することを含み、前記負荷状況は、前記利用と活動のレベルに基づく、上記［３３］に記載の方法。
［３６］データの通信のための通信システムにおいて、下記を具備する方法：
前記通信システムの負荷状況を検出する；
オープン接続を選択する；
前記負荷状況に基づいて前記選択したオープン接続を解放する。
［３７］さらに下記を具備する上記［３６］に記載の方法：
ユーザのための接続をデータの通信のために開くための要求を検出する；
前記ユーザに対して、前記選択されたオープン接続を前記解放することに基づいて解放されたリソースに対応する通信リソースを割当てる。
［３８］所定数の既存の接続を検出することをさらに具備し、前記負荷状況は既存の接続の前記数に基づく、上記［３６］に記載の方法。
［３９］前記選択されたオープン接続は、アイドルオープン状態である、上記［３６］に記載の方法。
［４０］前記選択されたオープン接続は、ビジーオープン状態である、上記［３６］に記載の方法。
［４１］通信システムにおいて、下記を具備する装置：
前記通信システム内の複数のリソースを管理するリソースマネージャ；
前記リソースマネージャと通信し、接続に通信リソースを割当てるための要求をする複数の接続コントローラ；
前記リソースマネージャは、前記複数のリソースの１つを選択し、データの通信のためにユーザの接続を開く要求を検出し、および前記ユーザに、前記選択されたオープン接続の前記解放に基づいて解放されたリソースに対応する通信リソースを割当てるために前記選択されたオープン接続を解放するように構成される。
[４２]前記選択されたオープン接続は、アイドルオープン状態である、上記［４１］に記載の装置。
［４３］前記選択されたオープン接続は、ビジーオープン状態である、上記［４１］に記載の装置。
［４４］データの通信のための通信システムにおいて、下記を具備する方法：
データの通信のために、ユーザのための接続を開く要求を検出する；
オープン接続が前記通信システム内のアイドルオープン状態にあるかどうかを判断する；
前記アイドルオープン状態接続を選択する；
前記選択されたアイドルオープン状態接続を解放する；
前記ユーザに、前記開放に基づいて解放されたリソースに対応する通信リソースを割当てる。
［４５］データの通信のための通信システムにおいて、下記を具備する方法：
データの通信のために、ユーザのための接続を開く要求を検出する；
前記オープン接続に割当てられたサービス程度に基づいてオープン接続を選択する；
前記選択したオープン接続を解放する；
前記ユーザに、前記選択したオープン接続を前記解放したことに基づいて解放されたリソースに対応する通信リソースを割当てる。
［４６］前記選択されたオープン接続は、アイドルオープン状態にある、上記［４５］に記載の方法。
［４７］前記選択されたオープン接続は、ビジーオープン状態にある、上記［４５］に記載の方法。
［４８］さらに下記を具備する、上記［４５］に記載の方法：
オープン接続が前記通信システム内のアイドルオープン状態にあるかどうか判断する；前記選択されたオープン接続は前記アイドルオープン状態にある前記決定されたオープン接続である。
［４９］さらに下記を具備する、上記［４５］に記載の方法：
２以上のオープン接続がアイドルオープン状態にあるかどうか判断する；
前記アイドルオープン状態にある前記２以上のオープン接続から、最長のアイドルオープン状態接続時間を有するオープン接続を決定する；前記選択されたオープン接続は、前記最長のアイドルオープン状態接続を有する前記決定されたオープン接続である。
［５０］さらに下記を具備する上記［４５］に記載の方法：
２以上のオープン接続がアイドルオープン状態にあるかどうか判断する；
前記アイドルオープン状態にある前記２以上のオープン接続から、所定の期間に所定量のデータを送信するために使用されるオープン接続を決定する、前記選択されたオープン接続は、前記所定期間に前記所定量のデータを送信するために使用される前記決定されたオープン接続である。
【外国語明細書】
2010022025000001.pdf